(57)【要約】【課題】互いに異なる二つの処理装置を備えると共に、衣類の投入と引出しが容易である洗濯装置を提供する。【解決手段】本発明は前面に備えられる第１投入口及び上面に備えられる第２投入口を有するキャビネット、キャビネットの内部に備えられ、第１投入口に連通し、水を収容する空間を提供する第１タブ、第１タブの内部に回転可能に備えられ、第１投入口に連通し、衣類を収容する空間を提供する第１ドラム、キャビネットの内部に備えられ、第１タブの上部に位置し、水を収容する空間を提供し、第２投入口に連通する第２タブ、第２タブの内部に回転可能に備えられ、第２投入口に連通し、衣類を収容する空間を提供する第２ドラム、及びキャビネットの内部に備えられ、第１タブ又は第２タブに加熱された空気を供給し、第２タブの底面と第１タブの間に形成された空間に位置する熱風供給部を含む洗濯装置を提供する。【選択図】  図１
2018108333.tif 000002
【特許請求の範囲】
【請求項１】
第１タブ、前記第１タブの内部に備えられる第１ドラム及び前記第１ドラムを前記第１タブの内部で第１回転軸を中心に回転駆動するように構成される第１駆動ユニットを有する第１洗濯部と、
第２タブ、前記第２タブの内部に備えられる第２ドラム及び前記第２ドラムを前記第２タブの内部で第２回転軸を中心に回転駆動するように構成される第２駆動ユニットを有する第２洗濯部と、を含み、
前記第２洗濯部は前記第１洗濯部の上部に位置し、前記第１洗濯部の第１洗濯物処理容量より小さい第２洗濯物処理容量を有するように構成され、
前記第２ドラムの直径は前記第２ドラムの高さより大きく形成され、
前記第１洗濯部の第１回転軸は前記第２洗濯部の第２回転軸に平行でないように構成され、
前記第２駆動ユニットは、前記第２ドラムの第２回転軸と前記第２タブの下部外側で連結されるモーターを含み、
前記第２タブの下面には、前記第２タブの内部の洗濯水を加熱するために、前記第２タブの下面の後方部から下方に突出することによって規定される第１リセスが形成され、
前記第２タブの強度補強のために、前記第２タブの下面の外側に備えられ、前記第２タブの下面の後方部に向かって部分的に伸びて前記第２タブの第１リセスの底面を露出させる金属板状部材を含むことを特徴とする、洗濯装置。
【請求項２】
前記第２タブはプラスチック素材で形成される、請求項１に記載の洗濯装置。
【請求項３】
前記金属板状部材は前記第２タブの下面に固定されるように構成される、請求項２に記載の洗濯装置。
【請求項４】
前記金属板状部材は前記第２タブの下面に直接固定されるように構成される、請求項３に記載の洗濯装置。
【請求項５】
前記金属板状部材の第１部分は前記第２タブの下面と一体に形成される、請求項２に記載の洗濯装置。
【請求項６】
前記第２タブの下面と一体に形成される前記金属板状部材の第１部分は前記第２タブの射出成形時にインサートされる前記金属板状部材の中心部である、請求項５に記載の洗濯装置。
【請求項７】
前記金属板状部材は、前記第１リセスが備えられる前記第２タブの後方より前記第１タブの前方にもっと伸びることによって前記第２タブの第１リセスの底面を露出させる、請求項１に記載の洗濯装置。
【請求項８】
前記洗濯装置の外形をなすキャビネットを含み、前記第１洗濯部と第２洗濯部は前記キャビネットの内部に備えられる、請求項１〜７のいずれか一項に記載の洗濯装置。
【請求項９】
前記第１リセスは前記第２タブの内部空間の第２部分に比べて下方に突出した前記第２タブの内部空間の第１部分である、請求項１〜７のいずれか一項に記載の洗濯装置。
【請求項１０】
前記第１リセスは前記第２駆動ユニットのモーターにおいて前記第２タブの半径方向の外側部に形成される、請求項１〜７のいずれか一項に記載の洗濯装置。
【請求項１１】
前記第２タブの中心を基準に、前記第１リセスの反対側で前記金属板状部材が前記第２タブを覆う面積が前記第１リセス側で前記金属板状部材が前記第２タブを覆う面積より大きい、請求項１０に記載の洗濯装置。
【請求項１２】
前記金属板状部材は前記第２タブの下面と前記第２駆動ユニットのモーターの間に備えられる、請求項１〜７のいずれか一項に記載の洗濯装置。
【請求項１３】
前記金属板状部材の第１部分は前記第２駆動ユニットのモーターを取り囲むように構成され、
前記金属板状部材は前記モーターを取り囲む前記第１部分で上昇する熱気を外部に排出するように構成される、請求項１２に記載の洗濯装置。
【請求項１４】
前記第２洗濯部の下部と前記第１洗濯部の上部の間の空間には前記第１洗濯部の乾燥ダクトの第１部分が備えられ、
前記金属板状部材は前記乾燥ダクトの少なくとも一部と上下に重畳するように構成される、請求項１２に記載の洗濯装置。
【請求項１５】
前記金属板状部材は前記第２タブの下面に対応するように段差部を有する、請求項１２に記載の洗濯装置。
【請求項１６】
前記第２駆動ユニットのモーターは、
前記第２タブの下部背面に直接装着される固定子と、
前記固定子を取り囲むように構成される回転子と、を含み、
前記第１リセスの下面は前記第２駆動ユニットのモーターの最下部より下側に位置する、請求項９に記載の洗濯装置。
【請求項１７】
前記第２駆動ユニットのモーターは、
前記金属板状部材を介して前記第２タブの下部背面に装着される固定子；及び
前記固定子を取り囲むように構成される回転子を含み、
前記第１リセスの下面は前記第２駆動ユニットのモーターの下部より下側に位置する、請求項１２に記載の洗濯装置。
【請求項１８】
前記第２駆動ユニットのモーターは、
固定子と、
前記固定子を取り囲むように構成される回転子と、を含み、
前記金属板状部材は、前記回転子の上部で前記回転子を取り囲むように形成され、半径方向の外側方向に下方に傾いた傾斜部を含む、請求項１２に記載の洗濯装置。
【請求項１９】
前記第１洗濯部の第１回転軸は前記第２洗濯部の第２回転軸に対して直角に配置される、請求項１に記載の洗濯装置。
【請求項２０】
前記第２タブの第１リセスは、前記第１リセスを規定する前記第２タブの少なくとも一面を加熱することによって前記第２タブ内の洗濯水を加熱するように構成される、請求項１に記載の洗濯装置。
【発明の詳細な説明】
【技術分野】
【０００１】
本発明は洗濯装置に関するものである。
【背景技術】
【０００２】
一般に、洗濯装置は衣類（洗濯対象物、乾燥対象物）を洗濯する装置、衣類を乾燥する装置、衣類の洗濯及び乾燥の両方を行う装置を含む概念である。
【０００３】
従来の洗濯装置のうちには互いに異なる体積を有する二つの処理装置（タブ及びドラム）を備えた洗濯装置があった。これをツイン洗濯装置と言える。互いに異なる二つの処理装置を備えた洗濯装置は異種の衣類を区分して洗濯するか、衣類の量によって二つのタブのいずれか一つを選択して洗濯することができる効果があった。
【０００４】
一方、二つの処理装置を備えた従来の洗濯装置は体積の大きい処理装置は上部に位置させ、体積の小さい処理装置は下部に位置させる構造であり、このような従来の洗濯装置は上部に位置する処理装置の投入口と下部に位置する処理装置の投入口が洗濯装置の前面に共に備えられていた。よって、使用者が下部に位置する処理装置に衣類を投入するか下部に位置する処理装置から衣類を取り出すのに不便さがあった。
【発明の概要】
【発明が解決しようとする課題】
【０００５】
本発明は基本的に前述した従来の洗濯装置の問題を解決しようとすることを目的とする。
【０００６】
本発明の一実施例において、互いに異なる二つの処理装置を備えるのみならず衣類の投入と取出しが容易である洗濯装置を提供しようとする。
【０００７】
本発明の一実施例において、互いに異なる二つの処理装置を備えるにもかかわらず高さを最小化することができる洗濯装置を提供しようとする。
【０００８】
本発明の一実施例において、いずれか一つの処理装置で発生した振動が他の装置に伝達されることを最小化することができる洗濯装置を提供しようとする。
【０００９】
本発明の一実施例において、二つの洗濯装置間の干渉を排除し、いずれか一つの洗濯装置で発生する熱が他の洗濯装置に影響を及ぼすことを最小化することができる洗濯装置を提供しようとする。
【００１０】
本発明の一実施例において、タブの強度を補強し、モーターで発生する熱を効果的に放熱することができる洗濯装置を提供しようとする。
【００１１】
本発明の一実施例において、一つのキャビネットの内部に二つの洗濯装置を備える場合、狭い空間を活用することができながらも信頼性及び耐久性が向上した洗濯装置を提供しようとする。
【課題を解決するための手段】
【００１２】
本発明は、上述した課題を解決するために、第１タブ、第１ドラム及び前記第１ドラムを駆動する第１駆動ユニットを有する第１洗濯部と、第２タブ、第２ドラム及び第２ドラムを駆動する第２駆動ユニットを有する第２洗濯部とを含む洗濯装置であって、前記第２ドラムは直径が高さより大きく形成され、前記第１ドラムの回転軸と交差する回転軸を有し、前記第２駆動ユニットは、前記第２ドラムの回転軸と前記第２タブの外部で前記第２ドラムの回転軸と連結されるモーターを含み、前記モーターと前記第２タブの外面の間には、前記モーターで発生する熱が前記第２タブに伝達されることを遮断するための板状部材が備えられることを特徴とする洗濯装置を提供することができる。このような洗濯装置をツイン洗濯装置と言える。
【００１３】
前記板状部材は前記第２タブの外面に固定されるように構成されることが好ましい。
【００１４】
前記板状部材は前記第２タブの外面に密着するように構成されることが好ましい。
【００１５】
前記板状部材の一部は前記第２タブの射出成形時にインサートされて前記第２タブと一体に形成されることができる。特に、前記板状部材の中心部は第２タブの内部にインサートされて前記第２タブと一体に形成されることができる。
【００１６】
前記第２洗濯部は前記第１洗濯部の上部に位置してもよい。
【００１７】
前記第２洗濯部の洗濯物処理容量より前記第１洗濯部の洗濯物処理容量が大きいことが好ましい。
【００１８】
前記洗濯装置の外形をなす単一キャビネットを含み、前記第１洗濯部と第２洗濯部は前記単一キャビネットの内部に備えられることができる。すなわち、一つのキャビネットの内部に二つの洗濯部を有する洗濯装置を提供することができる。
【００１９】
前記第２洗濯部の下部と前記第１洗濯部の上部の間の空間には前記第１洗濯部の乾燥ダクトの一部が備えられ、前記板状部材は前記乾燥ダクトと上下に重畳するように構成されることが好ましい。
【００２０】
前記板状部材は前記第２タブの下部背面に備えられることが好ましい。
【００２１】
前記板状部材の少なくとも一部は前記モーターを取り囲むように構成され、前記モーターから上昇する熱気が前記板状部材を介して放射方向にかつ下方にガイドされて排出されることが好ましい。
【００２２】
前記第２タブには洗濯水を加熱するためのリセスが形成され、前記リセスは他の部分に比べて下方に突出するように形成されることができる。
【００２３】
前記リセスは前記モーターの半径方向の外側に形成されることができる。前記モーターは、タブの下部背面に装着される固定子と前記固定子を半径方向の外側で取り囲んで回転する回転子とを含むことができる。
【００２４】
前記リセスの背面には前記板状部材が装着されないことが好ましい。
【００２５】
前記第２タブの中心を基準に、前記リセスの反対側で板状部材が前記第２タブを覆う面積が大きいことが好ましい。
【００２６】
前記リセスは第２タブの後方に位置することが好ましい。したがって、前記板状部材が前記第２タブを覆う面積は前方がもっと広いことが好ましい。
【００２７】
乾燥ダクトの温度は後方より前方で高い。よって、乾燥ダクトと第２タブの間の熱交換が板状部材によって最小化することができる。
【００２８】
前記板状部材は前記第２タブの下部背面に対応するように段差部を有することが好ましい。これによって剛性及び結合強度を向上させることができる。
【００２９】
前記第２タブはプラスチック素材で形成され、前記板状部材は金属素材で形成されることが好ましい。前記板状部材はアルミニウムダイキャスティングによって形成されることができる。よって、前記板状部材は金属板状部材と言える。
【００３０】
前記板状部材の表面には輻射熱遮断膜が備えられることが好ましい。よって、放射熱が前記板状部材に吸収されることを防止することができる。したがって、より効果的な放熱性能を期待することができる。
【００３１】
前述した目的を達成するために、本発明の一実施例によると、第１タブ、第１ドラム及び前記第１ドラムを駆動する第１駆動ユニットを有する第１洗濯部と、第２タブ、第２ドラム及び第２ドラムを駆動する第２駆動ユニットを有する第２洗濯部とを含む洗濯装置であって、前記第２ドラムは直径が高さより大きく形成され、前記第１ドラムの回転軸と交差する回転軸を有し、前記第２駆動ユニットは前記第２ドラムの回転軸と前記第２タブの下部外面中心で前記第２ドラムの回転軸と連結されるモーターとを含み、前記第２タブの下部外面において前記モーターの半径方向の外側に排水ポンプと連結されるためのリセスが形成され、前記リセスは他の部分に比べて下方に突出するように形成され、前記モーターと前記タブの下部外面の間に、前記モーターから上昇する熱気が放射方向にかつ下方にガイドされて排出されるように板状部材が備えられることを特徴とする洗濯装置を提供することができる。
【００３２】
前記板状部材は、前記第２タブの下部外面に装着される金属素材のプレートを含むことができる。
【００３３】
前記板状部材は、前記モーターの上部で前記モーターを取り囲むように形成され、半径方向の外側方向に下方に傾いた傾斜部を含むことができる。
【００３４】
前記リセスの下面は前記モーターの下部外面より垂直方向に下側に位置し、前記板状部材は前記リセスの下部外面を除き前記第２タブの下部外面に備えられることが好ましい。前記リセスは前記第２タブの後方に位置し、前記板状部材は前記第２タブの中心から前記リセスの反対方向である前記第２タブの前方に拡張されるように形成されることが好ましい。
【００３５】
前述した目的を達成するために、本発明の一実施例によると、前面に備えられる第１投入口及び上面に備えられる第２投入口を有するキャビネット、前記キャビネットの内部に備えられ、前記第１投入口に連通し、水を収容する空間を提供する第１タブ、前記第１タブの内部に回転可能に備えられ、前記第１投入口に連通し、衣類を収容する空間を提供する第１ドラム、前記キャビネットの内部に備えられ、前記第１タブの上部に位置し、水を収容する空間を提供し、前記第２投入口に連通する第２タブ、前記第２タブの内部に回転可能に備えられ、前記第２投入口に連通し、衣類を収容する空間を提供する第２ドラム、前記キャビネットの内部に備えられ、前記第１タブ又は前記第２タブに加熱された空気を供給し、前記第２タブの底面と第１タブの間に形成された空間に位置する熱風供給部を含む洗濯装置を提供することができる。
【００３６】
前述した目的を達成するために、本発明の一実施例によると、外形をなすキャビネット、第１タブ、第１ドラム及び前記第１ドラムを駆動する第１駆動ユニットを有する第１洗濯部、及び第２タブ、第２ドラム及び前記第２ドラムを駆動する第２駆動ユニットを有し、前記第１洗濯部の上部に位置し、前記第１洗濯部の洗濯物処理容量より小さい第２洗濯部を含み、前記第２ドラムは直径が高さより大きく形成され、前記第１ドラムの回転軸と交差する回転軸を有し、前記第２駆動ユニットは、前記第２ドラムの回転軸と前記第２タブの下部外側で前記第２ドラムの回転軸と連結されるモーターとを含み、前記第２タブの下部背面には洗濯水を加熱するために他の部分に比べて下方に突出するリセスが形成され、前記第２タブの強度補強のために、前記リセスの背面を除いた前記第２タブの背面に備えられる金属板状部材を含むことを特徴とする洗濯装置を提供することができる。
【００３７】
一つの洗濯装置によって二つの洗濯装置を具現することができるので、このような洗濯装置をツイン洗濯装置と言える。
【００３８】
前記第２タブはプラスチック素材で形成されることが好ましい。
【００３９】
前記金属板状部材は前記第２タブの背面に固定されるように構成されることができる。
【００４０】
前記金属板状部材は前記第２タブの背面に密着するように構成されることができる。
【００４１】
前記金属板状部材の一部は前記第２タブの射出成形時にインサートされて前記第２タブと一体に形成されることができる。
【００４２】
前記キャビネットは前記洗濯装置の外形をなす単一キャビネットであり、前記第１洗濯部と第２洗濯部は前記単一キャビネットの内部に備えられることができる。
【００４３】
前記リセスは前記モーターの半径方向の外側に形成されることが好ましい。
【００４４】
前記第２タブの中心を基準に前記リセスの反対側で前記金属板状部材が前記第２タブを覆う面積が前記リセス側より大きいことが好ましい。
【００４５】
前記金属板状部材は前記第２タブの背面と前記モーターの間に備えられることができる。
【００４６】
前記金属板状部材の一部は前記モーターを取り囲むように構成され、前記モーターから上昇する熱気が前記金属板状部材を介して放射方向にかつ下方にガイドされて排出されることが好ましい。
【００４７】
前記第２洗濯部の下部と前記第１洗濯部の上部の間の空間には前記第１洗濯部の乾燥ダクトの一部が備えられ、前記金属板状部材は前記乾燥ダクトと上下に重畳するように構成されることが好ましい。
【００４８】
前記金属板状部材は前記第２タブの下部背面に対応するように段差部を有することが好ましい。
【００４９】
前記モーターは、前記タブの下部背面に直接装着される固定子、及び前記固定子を取り囲むように構成される回転子を含み、前記リセスの下部は前記モーターの下部より下側に位置してもよい。
【００５０】
前記モーターは、前記金属板状部材を介して前記タブの下部背面に装着される固定子、及び前記固定子を取り囲むように構成される回転子を含み、前記リセスの下部は前記モーターの下部より下側に位置してもよい。
【００５１】
前記モーターは、固定子、及び前記固定子を取り囲むように構成される回転子を含み、前記金属板状部材は、前記回転子の上部で前記回転子を取り囲むように形成され、半径方向の外側方向に下方に傾いた傾斜部を含むことができる。
【００５２】
前述した目的を達成するために、本発明の一実施例によると、第１タブ、前記第１タブの内部に備えられる第１ドラム及び前記第１ドラムを前記第１タブの内部で第１回転軸を中心に回転駆動するように構成される第１駆動ユニットを有する第１洗濯部、及び第２タブ、前記第２タブの内部に備えられる第２ドラム及び前記第２ドラムを前記第２タブの内部で第２回転軸を中心に回転駆動するように構成される第２駆動ユニットを有する第２洗濯部を含み、前記第２洗濯部は、前記第１洗濯部の上部に位置し、前記第１洗濯部の第１洗濯物処理容量より小さい第２洗濯物処理容量を有するように構成され、前記第２ドラムの直径は前記第２ドラムの高さより大きく形成され、前記第１洗濯部の第１回転軸は前記第２洗濯部の第２回転軸に平行でないように構成され、前記第２駆動ユニットは、前記第２ドラムの第２回転軸と前記第２タブの下部外側で連結されるモーターとを含み、前記第２タブの下面には、前記第２タブの内部の洗濯水を加熱するために、前記第２タブの下面の後方部から下方に突出するように規定される第１リセスが形成され、前記第２タブの強度補強のために前記第２タブの下面外側に備えられ、前記第２タブの下面の後方部に向かって部分的に伸びて前記第２タブの第１リセスの底面を露出させる金属板状部材を含むことを特徴とする洗濯装置を提供することができる。
【００５３】
前記第２タブはプラスチック素材で形成されてもよい。
【００５４】
前記金属板状部材は前記第２タブの下面に固定されるように構成されることが好ましい。
【００５５】
前記金属板状部材は前記第２タブの下面に直接固定されるように構成されることができる。
【００５６】
前記金属板状部材の第１部分は前記第２タブの下面と一体に形成されてもよい。
【００５７】
前記第２タブの下面と一体に形成される前記金属板状部材の第１部分は前記第２タブの射出成形時にインサートされる前記金属板状部材の中心部であることが好ましい。
【００５８】
前記金属板状部材は、前記第１リセスが備えられる前記第２タブの後方より前記第１タブの前方にもっと伸びることによって前記第２タブの第１リセスの底面を露出させることが好ましい。
【００５９】
前記洗濯装置の外形をなすキャビネットを含み、前記第１洗濯部と第２洗濯部は前記キャビネットの内部に備えられることができる。
【００６０】
前記第１リセスは前記第２タブの内部空間の第２部分に比べて下方に突出した前記第２タブの内部空間の第１部分であってもよい。
【００６１】
前記第１リセスは前記第２駆動ユニットのモーターにおいて前記第２タブの半径方向の外側部に形成されることができる。
【００６２】
前記第２タブの中心を基準に、前記第１リセスの反対側で前記金属板状部材が前記第２タブを覆う面積が前記第１リセス側で前記金属板状部材が前記第２タブを覆う面積より大きいことが好ましい。
【００６３】
前記金属板状部材は前記第２タブの下面と前記第２駆動ユニットのモーターの間に備えられることが好ましい。
【００６４】
前記金属板状部材の第１部分は前記第２駆動ユニットのモーターを取り囲むように構成され、前記金属板状部材は前記モーターを取り囲む前記第１部分で上昇する熱気を外部に排出するように構成されることができる。
【００６５】
前記第２洗濯部の下部と前記第１洗濯部の上部の間の空間には前記第１洗濯部の乾燥ダクトの第１部分が備えられ、前記金属板状部材は前記乾燥ダクトの少なくとも一部と上下に重畳するように構成されることができる。
【００６６】
前記金属板状部材は前記第２タブの下面に対応するように段差部を有することが好ましい。したがって、前記金属板状部材と前記第２タブは互いに堅く結合されることができる。
【００６７】
前記第２駆動ユニットのモーターは、前記第２タブの下部背面に直接装着される固定子、及び前記固定子を取り囲むように構成される回転子を含み、前記第１リセスの下面は前記第２駆動ユニットのモーターの最下部より下側に位置することが好ましい。
【００６８】
前記第２駆動ユニットのモーターは、前記金属板状部材を介して前記第２タブの下部背面に装着される固定子、及び前記固定子を取り囲むように構成される回転子を含み、前記第１リセスの下面は前記第２駆動ユニットのモーターの下部より下側に位置することが好ましい。
【００６９】
前記第２駆動ユニットのモーターは、固定子、及び前記固定子を取り囲むように構成される回転子を含み、前記金属板状部材は、前記回転子の上部で前記回転子を取り囲むように形成され、半径方向の外側方向に下方に傾いた傾斜部を含むことができる。
【００７０】
前記第１洗濯部の第１回転軸は前記第２洗濯部の第２回転軸に直角となることができる。一例として、第１洗濯部はフロントローダー洗濯機、そして第２洗濯部はトップローダー洗濯機であってもよい。すなわち、第１洗濯部は前方から後方に洗濯物を投入する洗濯装置、第２洗濯部は上方から下方に洗濯物を投入する洗濯装置であってもよい。したがって、一つの洗濯装置によって洗濯メカニズム及び容量が互いに異なる二つの洗濯装置を具現することができるので、非常に便利である。
【００７１】
前記第２タブの第１リセスは、前記第１リセスを規定する前記第２タブの少なくとも一面を加熱することによって前記第２タブ内の洗濯水を加熱するように構成されることができる。
前述した実施例の特徴は互いに矛盾するか排他的でない限り、他の実施例で複合的に適用可能である。
【発明の効果】
【００７２】
本発明の一実施例において、互いに異なる二つの処理装置を備えるのみならず衣類の投入と引出しが容易である洗濯装置を提供することができる。
【００７３】
本発明の一実施例において、互いに異なる二つの処理装置を備えるにもかかわらず高さを最小化することができる洗濯装置を提供することができる。
【００７４】
本発明の一実施例において、いずれか一つの処理装置で発生した振動が他の装置に伝達されることを最小化することができる洗濯装置を提供することができる。
【００７５】
本発明の一実施例において、二つの洗濯装置間の干渉を排除し、いずれか一つの洗濯装置で発生する熱が他の洗濯装置に影響を及ぼすことを最小化することができる洗濯装置を提供することができる。
【００７６】
本発明の一実施例において、タブの強度を補強し、モーターで発生する熱を効果的に放熱することができる洗濯装置を提供することができる。
【００７７】
本発明の一実施例において、一つのキャビネットの内部に二つの洗濯装置を備える場合、狭い空間を活用することができながらも信頼性及び耐久性が向上した洗濯装置を提供することができる。
【図面の簡単な説明】
【００７８】
【図１】本発明による洗濯装置の一例を示す図である。
【図２】本発明による洗濯装置の一例を示す図である。
【図３】本発明による洗濯装置の他の実施例を示す図である。
【図４】本発明による洗濯装置のさらに他の実施例を示す図である。
【図５】本発明による洗濯装置のさらに他の実施例を示す図である。
【発明を実施するための形態】
【００７９】
以下では添付図面に基づいて本発明の好適な実施例を詳細に説明する。一方、以下に記述する装置の構成又は制御方法は本発明の実施例を説明するためのものであるだけ、本発明の権利範囲を限定するためのものではなく、明細書全般にわたって同一の参照番号は同一の構成要素を示す。
【００８０】
図１に示したように、本発明の一実施例による洗濯装置１００はキャビネット１を含んでなることができる。洗濯装置は、キャビネット１の内部に備えられ、衣類の洗濯又は乾燥が可能な空間を提供する第１処理装置２、３、キャビネットの内部に備えられ、衣類の洗濯又は乾燥が可能な空間を提供し、第１処理装置の上部に位置する第２処理装置４、６を含むことができる。第１処理装置を第１洗濯部と、第２処理装置を第２洗濯部と言える。
【００８１】
具体的に、キャビネット１は、第１タブ２及び第１ドラム３を含む第１洗濯部を含むことができる。第１タブ２及び第１ドラム３は内部に洗濯物を洗濯する洗濯空間を規定することになる。また、キャビネット１は第２タブ４及び第２ドラム６を含むことができる。同様に、第２タブ４及び第２ドラム６は内部に洗濯物を洗濯する洗濯空間を規定することになる。
【００８２】
キャビネット１は洗濯装置の外観をなす手段であり、キャビネット１は地面（ｇｒｏｕｎｄ）に支持される底面、底面の上部に位置する上面１２、及び上面と底面を連結する側面を備える。側面は洗濯装置の前方に位置する前面１１と洗濯装置の後方に位置する背面を含むことができる。
【００８３】
前面１１には、前面１１を貫通するように構成され、第１処理装置（第１タブ２、第１ドラム３）に連通する第１投入口１３が備えられ、上面１２には、上面１２を貫通するように構成され、第２処理装置（第２タブ４、第２ドラム６）に連通する第２投入口１４が備えられる。また、キャビネット１の背面には、キャビネットの背面を貫通するように構成され、外気をキャビネットの内部に流入させる外気供給ホール１９が備えられることができる。
【００８４】
第１投入口１３は前面１１に回転可能に結合された第１ドア１５によって開放するか閉鎖し、第２投入口１２は上面１２に回転可能に結合された第２ドア１６によって開放するか閉鎖する。
【００８５】
第１ドア１５は第１投入口１３だけでなく第１処理装置の第１タブ投入口２３までも同時に開閉可能な手段であるが、第２ドア１６は第２投入口１４のみを開閉するように構成されることができる。
【００８６】
第１処理装置は、キャビネット１の内部に備えられ、第１投入口１３に連通する第１タブ２、及び第１タブ２の内部に回転可能に備えられ、衣類を収容する空間を提供する第１ドラム３を含む。
【００８７】
第１タブ２は水を収容する空間を形成することができるどの形状にも構成されることができる。図１は第１タブ２が円筒状（ｃｙｌｉｎｄｅｒ）に構成された場合を一例として示すものである。
【００８８】
この場合、第１タブ２は、内部が空いている円筒状の第１タブボディー２１、及び第１タブボディーの前面を貫通するように構成され、第１投入口１３に連通する第１タブ投入口２３を含むことができる。
【００８９】
第１タブボディー２１は第１タブ支持部２５１、２５３、２５５によってキャビネット１の内部に固定される。第１タブ支持部については後述する。
【００９０】
第１投入口１３と第１タブ投入口２３はガスケット２３１を介して連結される。第１タブボディー２１の内部の水が漏水することを防止するとともに第１タブボディー２１の振動がキャビネット１に伝達されることを防止するために、ガスケット２３１はゴムのような弾性素材でなることが好ましい。
【００９１】
第１ドラム３は第１タブボディー２１の内部で回転可能などの形状にも構成されることができる。図１は第１ドラムが円筒状に構成された場合を一例として示すものである。
【００９２】
この場合、第１ドラム３は、内部が空いている円筒状の第１ドラムボディー３１、第１ドラムボディー３１の前面を貫通するように構成され、第１タブ投入口２３に連通する第１ドラム投入口３３、及び第１ドラムボディー３１を貫通するように構成され、第１ドラムボディーの内部と第１タブボディーの内部を連通する多数の第１貫通ホール３５を含むことができる。
【００９３】
第１ドラム投入口３３は第１タブ投入口２３を介して第１投入口１３に連通するので、第１ドア１５が第１投入口１３を開放すれば、使用者は第１投入口１３、第１タブ投入口２３及び第１ドラム投入口３３を通じて第１ドラムボディー３１に衣類を投入するかあるいは第１ドラムボディー３１に収容された衣類をキャビネットの外部に取り出すことができる。
【００９４】
第１ドラムボディー３１は第１駆動部によって回転する。図１は第１駆動部が第１タブボディー２１の背面に固定され、回転磁界（ｒｏｔａｔｉｎｇ  ｆｉｅｌｄ）を形成する第１固定子３７１、回転磁界によって回転する第１回転子３７３、及び第１タブボディーの背面を貫通して第１ドラムボディー３１と第１回転子３７３を連結する第１回転軸３７５を含む場合を一例として示すものである。
【００９５】
第１回転軸３７５はキャビネットの底面に平行になるように構成（第１回転軸はキャビネットの底面に対して０度となるように構成）されることもでき、キャビネット１の底面に対して０度以上の角度を有するように構成されることもできる。
【００９６】
後者の場合、第１回転軸３７５はキャビネットの底面に対して９０度よりは小さな角度を有するように構成されなければならない。第１処理装置２、３の上部に第２処理装置４、６が位置し、第１ドラム投入口３３が第１ドラムボディー３１の前面に位置するため、第１回転軸３７５の傾斜角がキャビネットの底面に対して９０度よりは小さな角度を形成する場合にだけ使用者が第１ドラムボディー３１に収容された衣類をキャビネットの外部に取り出すことができるからである。
【００９７】
上述した構造を有する第１処理装置２、３は第１給水部を介して水を受け、第１排水部を介して水をキャビネットの外部に排出する。第１給水部は、第１タブボディー２１とキャビネットの外部に位置する給水源を連結する第１給水管２１１、及び制御部のような少なくとも一つのプロセッサ（ｐｒｏｃｅｓｓｏｒ）の制御信号によって第１給水管２１１を開放するか閉鎖する第１バルブ２１３を含んでなることができる。
【００９８】
一方、第１排水部は、第１タブボディーに収容された水をキャビネット１の外部に案内する第１配水管２１５、及び第１タブボディーに収容された水が第１配水管２１５に沿って移動するようにする第１ポンプ２１７を含んでなることができる。
【００９９】
第１配水管２１５は第１タブボディー２１に設定された最高水位より高い地点を通過するように構成されることが好ましい。第１配水管を開閉する別個のバルブなしにも第１タブボディー２１に水を貯蔵することができるようにするためである。
【０１００】
第２処理装置４、６は、第１タブボディー２１の上部に位置し、第２投入口１４に連通し、水を収容する空間を提供する第２タブ４、及び第２タブの内部に回転可能に構成され、衣類を収容する空間を提供する第２ドラム６を含む。
【０１０１】
第２タブ４は水を収容することができる空間を提供することができるどの形状にも構成されることができる。図１は第２タブ４が円筒状に構成された場合を一例として示すものである。
【０１０２】
この場合、第２タブ４は、内部が空いている円筒状に構成され、第１タブボディー２１の上部に位置する第２タブボディー４１、及び第２タブボディー４１の上面を貫通するように構成され、第２投入口１４に連通する第２タブ投入口４３を含むことができる。
【０１０３】
第２タブボディー４１は第２タブ支持部４７を介してキャビネット１の内部に固定される。本発明による洗濯装置は、第２タブボディー４１の円周面に沿って互いに等間隔で離隔した少なくとも３個の第２タブ支持部を含むことができる。
【０１０４】
第２タブ支持部４７は、一端がキャビネット１に回転可能に結合され、他端が第２タブボディー４１に回転可能に結合された支持バー４７５でなることができる。
【０１０５】
すなわち、第２タブ支持部４７は、キャビネット１に備えられ、支持バー４７５の上端を回転可能に支持する第１ブラケット４７１、及び第２タブボディー４１に備えられ、支持バー４７５の下端に回転可能に支持される第２ブラケット４７３を含んでなることができる。この場合、支持バー４７５の上端には第１ブラケット４７１に回転可能に支持される第１締結部４７７が備えられ、支持バー４７５の下端には第２ブラケット４７３を回転可能に支持する第２締結部４７９が備えられることができる。図１は第１締結部４７７と第２締結部４７９が球状に構成された場合を一例として示すものである。
【０１０６】
第２タブ投入口４３は第２タブボディー４１の上面に回転可能に備えられた第２タブドア４５によって開放するか閉鎖し、第２タブドア４５は、第２ドア１６が第２投入口１４を開放したとき、第２投入口１４を通じてキャビネットの外部に露出される。
【０１０７】
また、第２ドア１６が第２投入口１４を開放したとき、第２タブドア４５が第２投入口１４を通じてキャビネット１の外部に向かって回転することができるように、第２タブドア４５は第２投入口１４が第２タブボディー４１の上面に投影されることによって形成される投影面の内部に位置することが好ましい。
【０１０８】
第２ドラム６は第２タブボディー４１の内部に回転可能な形状に構成されるどの形状にも構成されることができる。図１は第２ドラム６が円筒状に構成された場合を一例として示すものである。
【０１０９】
この場合、第２ドラム６は、内部が空いている円筒状に構成され、第２タブボディー４１の内部に位置する第２ドラムボディー６１、第２ドラムボディーの上面を貫通するように構成され、第２タブ投入口４３に連通する第２ドラム投入口６３、及び第２ドラムボディーを貫通するように構成され、第２ドラムボディー６１の内部空間を第２タブボディー４１の内部空間と連通させる多数の第２貫通ホール６５を含んでなることができる。
【０１１０】
第２ドラム投入口６３は第２タブ投入口４３の下部に位置するので、第２ドア１６によって第２投入口１４を開放し、第２タブドア４５によって第２タブ投入口４３を開放すれば、第２ドラム投入口６３はキャビネットの上面１２の外部に露出される。よって、使用者は第２投入口１４を通じて第２ドラムボディー６１に衣類を投入することもでき、第２ドラムボディー６１に収容された衣類をキャビネットの外部に取り出すこともできる。
【０１１１】
第２ドラムボディー６１は第２駆動部６７によって回転する。第２駆動部は、第２タブボディー４１の底面に固定されて回転磁界を形成する第２固定子６７１、回転磁界によって回転する第２回転子６７３、及び第２タブボディー４１の底面を貫通して第２ドラムボディー６１の底面と第２回転子６７３を連結する第２回転軸６７５を含んでなることができる。
【０１１２】
第２回転軸６７５はキャビネット１の底面に対して直交するように構成されることができる。ただ、第２ドラムボディー６１に備えられた第２ドラム投入口６３はキャビネットの上面１２を通じて外部に露出されるので、第２回転軸６７５はキャビネットの底面に対して０度よりは大きくて９０度以下の角度に設定されることもできる。
【０１１３】
上述した構造を有する第２処理装置（第２タブ４、第２ドラム６）は第２給水部を介して第２タブボディー４１に水を供給し、第２排水部を介して第２タブボディー４１に収容された水をキャビネットの外部に排出する。
【０１１４】
第２給水部は、第２タブボディー４１と給水源を連結する第２給水管４１１、及び制御部の制御信号によって第２給水管を開放するか閉鎖する第２バルブ４１３を含んでなることができる。
【０１１５】
第２排水部は、第２タブボディー４１に収容された水をキャビネット１の外部に案内し、第２タブボディー４１に設定された最高水位より高い地点を通過するように構成された第２配水管４１５、及び第２配水管を通じて水を移動させる第２ポンプ４１７を含んでなることができる。
【０１１６】
また、本発明の一実施例による洗濯装置１００は、第１タブボディー２１と第２タブボディー４１のいずれか一方に加熱された空気を供給する熱風供給部９をさらに備える。図１は熱風供給部９が第１タブボディー２１に加熱された空気を供給する場合を一例として示すものである。
【０１１７】
熱風供給部９は、第１タブボディー２１の内部の空気を第１タブボディー２１の外部に吸入するか押し出した後、第１タブボディー２１に再供給する流路を提供するダクト９１、ダクト９１を通じて第１タブボディー２１の内部の空気を循環させるファン９３、及びダクト９１に流入した空気を加熱するヒーター９７を含むことができる。
【０１１８】
ダクト９１の一端は第１タブボディーを貫通するように構成された第１タブ貫通ホール２７に連結され、ダクト９１の他端は第１タブボディーを貫通するように構成された第２タブ貫通ホール２９に連結されることができる。第１タブ貫通ホール２７はヒーターを通過した空気をタブ第１ボディー２１に流入させる手段であり、第２タブ貫通ホール２９はタブ第１ボディー２１の内部の空気をダクト９１に排出する手段である。
【０１１９】
また、ダクト９１の内部には、ヒーター９７に移動する空気を冷却させて空気に含有された水分を除去（除湿）する冷却部（図示せず）をさらに備えることができる。冷却部は第１タブボディーの内周面に水を供給して第１タブボディーの内周面を空気凝縮のための空間として活用する冷却水供給部が一例となることができる。この場合、別個の凝縮ダクトが不必要な効果がある。
【０１２０】
本発明の一実施例によると、第２処理装置４、６が第１処理装置２、３の上部に位置するため、第２処理装置が位置する高さ（第２投入口の高さ）が高くなるほど使用者が第２処理装置に衣類を投入するか第２処理装置から衣類を取り出すことが難しくなる問題が発生し得る。よって、第２処理装置４、６が第１処理装置２、３の上部に位置する洗濯装置において、第２投入口１４、第２タブ投入口４３及び第２ドラム投入口６３の高さを低めることは非常に重要である。
【０１２１】
キャビネットの高さを最小化するため、ダクト９１は、図２に示したように、第１タブボディー２１の円周面の上部領域と第２タブボディー４１の底面の間に位置するように第１タブボディー２１に固定されることが好ましい。第１タブボディー２１の円周面の上部領域は第１タブボディー２１が提供する空間のうち第１タブボディーの中心を通過する水平線（第１ドラムボディーの回転中心を通過する水平線）Ｘの上部に位置する領域を意味する。
【０１２２】
一方、前述したように、第１タブボディー２１は第１タブ支持部を介してキャビネット１の内部に固定される。
【０１２３】
第１タブ支持部は、第１タブボディー２１の円周面の上部領域をキャビネット１に固定する第１スプリング２５１、第１タブボディー２１の円周面の上部領域をキャビネット１に固定する第２スプリング２５３、及び第１タブボディー２１の円周面の下部領域をキャビネット１に固定するダンパー２５５を含んでなることができる。
【０１２４】
ダンパー２５５は第１タブボディー２１の振動を減殺させる手段であり、第１スプリング２５１と第２スプリング２５３は第１タブボディー２１の振動を減殺させるだけでなく第１タブボディー２１に復元力を提供する手段である。
【０１２５】
ダンパー２５５は第１タブボディー２１の円周面の下部領域をキャビネット１の底面又はキャビネットの側面に固定するように構成されることができる。
【０１２６】
第１スプリング２５１と第２スプリング２５３は第１タブボディー２１の中心を通過する垂直線（第１ドラムボディーの回転中心を通過する垂直線）Ｙを基準に互いに対称となる位置に備えられることが好ましい。
【０１２７】
第１タブ支持部が上述した構造に構成されれば、第１スプリング２５１と第２スプリング２５３のいずれか一方はダクト９１と干渉する可能性がある。よって、ダクト９１には、第１スプリング２５１又は第２スプリング２５３がダクト９１と干渉することを防止する凹部９１１又はダクト貫通ホール９１３が備えられることができる。
【０１２８】
凹部９１１はダクト９１の一面が凹むように形成され、ダクト貫通ホール９１３はダクト９１を貫通するように形成され、第１スプリング２５１と第２スプリング２５３のいずれか一つがダクト９１を貫通して第１タブボディー２１に連結されることができるようにする手段である。
【０１２９】
一方、第１スプリング２５１と第２スプリング２５３はキャビネット１の底面に対して直角に近いほど第１タブボディー２１に弾性力を提供するのに有利であるから、第１スプリング２５１と第２スプリング２５３は図３の様に構成されることもできる。
【０１３０】
すなわち、第１スプリング２５１は第１タブボディー２１の円周面の上部領域と第２タブボディー４１の底面を連結するように構成され、第２スプリング２５３は第１タブボディー２１の円周面の上部領域と第２タブボディー４１の底面を連結するように構成されることもできる。
【０１３１】
上述した本発明の一実施例による洗濯装置１００は、第２処理装置４、６が第１処理装置２、３の上部に位置してもよいから、第１タブボディー２１が第２タブボディー４１に衝突することを防止することが重要である。一例として、第１処理装置の作動中に第１タブボディー２１で発生した振動が第２タブボディー４１に伝達されるか、第２処理装置の作動中に第２タブボディー４１で発生した振動が第１タブボディー２１に伝達されることを防止する必要がある。
【０１３２】
このような問題を解決するために、図２及び図３に示したように、ダクト９１と第２タブボディー４１の間の最短距離（Ｌ４）は第１タブボディー２１とキャビネット１の間の最短距離（Ｌ１）以上に設定されることが好ましい。
【０１３３】
第１タブボディー２１とキャビネット１の間の最短距離（Ｌ１）は第１タブボディー２１で発生可能な振動幅を考慮して設計されるので、ダクトと第２タブボディー４１の間の最短距離（Ｌ４）が第１タブボディーとキャビネットの間の最短距離（Ｌ１）以上に設定されれば、第１タブボディー２１で発生した振動が第２タブボディー４１に伝達される危険を最小化することができる。
【０１３４】
また、ダクト９１と第２タブボディー４１の間の最短距離（Ｌ４）が第１タブボディー２１とキャビネット１の間の最短距離（Ｌ１）の２倍以上に設定されれば、第１タブボディー２１で発生した振動が第２タブボディー４１に伝達される危険をより効果的に防止することができる。
【０１３５】
第１タブボディー２１で発生した振動は第２駆動部６７を介して第２タブボディー４１に伝達されることができるので、第２駆動部の第２回転子６７３と第１タブボディー２１の間の最短距離（Ｌ３）はキャビネット１と第１タブボディー２１の間の最短距離（Ｌ１）と同一に設定されるかあるいはキャビネットと第１タブボディーの間の最短距離（Ｌ１）の２倍以上に設定されることが好ましい。
【０１３６】
一方、第１タブボディー２１で発生した振動がダクト９１を介してキャビネット１に伝達されることを防止するために、ダクト９１とキャビネット１の間の最短距離（Ｌ２）は第１タブボディー２１とキャビネット１の間の最短距離（Ｌ１）以上に設定されることが好ましい。
【０１３７】
図４は本発明による洗濯装置１００の他の実施例を示すもので、この実施例による洗濯装置１００は、熱風供給部９が第１タブボディー２１に外気を供給する供給ダクト９２、第１タブボディー２１の内部の空気をキャビネット１の外部に排出する排出ダクト９４、排出ダクト９４に備えられるファン９３、及び供給ダクト９２に流入した空気を加熱するヒーター９７を備えることが特徴である。
【０１３８】
この場合、供給ダクト９２は第１タブボディー２１の円周面の上部領域と第２タブボディー４１の底面の間に位置することが好ましい。排出ダクト９４はキャビネット１と第１タブボディー２１の円周面の下部領域の間に形成された空間に備えられることもでき（図４）、第１タブボディー２１の円周面の上部領域と第２タブボディー４１の底面の間に形成された空間に備えられることもできる（図示せず）。
【０１３９】
したがって、ファン９３が回転すれば、外気供給ホール１９を通じてキャビネットの内部に流入した空気の一部は供給ダクト９２を通じて第１タブボディー２１に流入する。この過程で空気はヒーター９７によって加熱される。
【０１４０】
また、供給ダクト９２を通じて加熱された空気が第１タブボディー２１に流入すれば、第１タブボディー２１の内部の圧力によって第１タブボディー２１の内部の空気は排出ダクト９４を通じてキャビネット１の外部に排出されるので、衣類の乾燥が可能である。
【０１４１】
上述した実施例は熱風供給部９が第１タブボディー２１に加熱された空気を供給する場合を基準に説明したものであるが、熱風供給部９は第２タブボディー４１に加熱された空気を供給するように構成されることができる。
【０１４２】
この場合、ダクト９１は第２タブボディー４１の内部の空気を循環させるように構成されなければならなく、供給ダクト９２は第２タブボディー４１に外気を供給するように構成されなければならないであろう。一方、排出ダクト９４は第１タブボディー２１の円周面の上部領域と第２タブボディー４１の底面の間に形成された空間に位置して、第２タブボディー４１の内部の空気をキャビネットの外部に排出するように構成されることができる。
【０１４３】
以上では熱風供給部９の観点で本発明に適用可能な実施例等について詳細に説明した。
【０１４４】
図１に示したように、一つのキャビネット１の内部に二つの洗濯部を備えることができる。
【０１４５】
特に、第１タブ２の上部に第２タブ４が備えられ、第２タブ４の下部背面には第２駆動部６７が備えられることができる。第２駆動部６７は回転する第２回転子６７３を含むことになる。よって、二つの洗濯部の間には上下空間が形成され、このような空間を上下に拡張することには限界がある。何故ならば、両者の間隔を十分に増加させれば、キャビネットの全高が増加して使用者が第２洗濯部を使うことに困難が発生するからである。
【０１４６】
したがって、狭い空間で二つの洗濯部の間に干渉が発生することを排除することが容易でない。このような空間には図示しない電線又はチューブなどが位置し得るが、第２回転子６７３とこのような構成物の間の干渉を排除することが容易でない。
【０１４７】
一方、第２駆動部６７の第２固定子６７１は過熱しやすい。すなわち、モーターが駆動されるに従って第２固定子６７１の温度が上昇することになる。よって、狭い空間内で第２固定子６７１から発生する熱を効果的に放熱させることが必要である。
【０１４８】
また、狭い空間のため、第２タブ４及び第２ドラム６の高さを減らすことも容易でない。なぜならば、高さを減らすことによって洗濯物処理容量が著しく減少するからである。もちろん、第２タブと第２ドラムの高さよりは直径を増加させて容量を増加させることができるが、このような直径の増加もキャビネットのサイズによって限界がある。
【０１４９】
このような問題を解決するために、この実施例では、第２タブの下部背面が上方に突出した形状に形成されることができる。すなわち、第２タブの下部背面が第２タブの内側に陷沒するように形成されることができる。このような第２タブの形状に対応して第２ドラムの形状も同様に第２ドラムの内側に陷沒するように形成されることができる。
【０１５０】
もちろん、このような陷沒部は第２タブと第２ドラムの中心部に形成されることができる。そして、このような陷沒部（リセス）が形成された中心部に第２駆動部６７が備えられることができる。
【０１５１】
この際、第２駆動部６７の最下部は第２タブの最下部より上部に位置することが好ましい。特に、回転する第２回転子６７３の最下部は第２タブ４の最下部より上部に位置することが好ましい。よって、第２回転子６７３は第２タブ４によって取り囲まれた形状に位置して回転することになる。したがって、第２回転子６７３が駆動されても第２タブ４の下部に位置する他の構成物との干渉を効果的に排除することができる。さらに、第１洗濯部と第２洗濯部の間に狭い空間が提供されてもこれを効果的に用いることができる。
【０１５２】
一方、狭い空間内に第２駆動部６７が備えられるから、第２駆動部６７、特に第２固定子６７１で発生する熱が正常に放熱されずに第２タブ４に伝達されることがあり得る。前述したように第２タブ４の高さを減らすことに限界があるから、第２タブ（４０）の下部厚さが相対的に小さくなる。
【０１５３】
第２タブ４はプラスチック素材で形成され、下部の厚さが小さくなるに従って熱に弱くなる。その上、構造的な剛性も低くなる。このような第２タブ４の下部は第２駆動部６７が装着される位置であるので、この部位での剛性低下は第２タブの破損を引き起こすことになる。
【０１５４】
したがって、熱損傷の防止及び強度補強が非常に要求されると言える。
【０１５５】
この実施例では、第２駆動部６７、つまりモーターと第２タブ４の外面の間に板状部材５００を含むことができる。板状部材５００は第２タブ４の外面と第２固定子６７１の間に備えられて、熱気が放射方向に円滑に流動するようにすることができる。
【０１５６】
板状部材５００は第２タブ４の外面に固定されるように構成されることができ、第２タブ４の外面に密着するように構成されることができる。
【０１５７】
第２ドラム６は垂直軸を中心に回転するように構成されるので、板状部材５００が備えられる第２タブ４の外面は第２タブの下部背面と言える。
【０１５８】
板状部材５００の少なくとも一部は第２タブの射出成形時にインサートされて第２タブと一体に形成されることができる。よって、板状部材５００の少なくとも一部は第２タブ４と一体に形成されることができる。一例として、板状部材５００の中心部は第２タブの内部にインサートされて第２タブと一体に形成されることができる。具体的に、板状部材５００の中心部は第２タブの射出成形時に第２タブ４の一面にインサートされることができる。
【０１５９】
第２タブの中心には第２駆動部６７の第２回転軸６７５が貫通し、これを回転可能に支持するベアリングが備えられる。ベアリングはベアリングハウジングの形状に構成され、板状部材５００の中心部はベアリングハウジングの形状に形成されることができる。
【０１６０】
一方、前述した実施例で説明したように、第１洗濯部と第２洗濯部の間には乾燥ダクト９１が形成されることができる。
【０１６１】
一般に、乾燥ダクト９１は第１タブ２の後方から第１タブ２の前方に連結される。一般に、乾燥ダクト９１のヒーター９７は第１タブ２から排出された空気を加熱して再び第１タブ２に供給することになる。したがって、乾燥ダクト９１の後方よりは前方の温度が高い。特に、乾燥初期には水分が蒸発する量が少ないから、乾燥ダクト９１の前方の温度は乾燥後期より高いことがある。
【０１６２】
したがって、乾燥ダクト９１そのものの高温が第２タブ４の下部背面に影響を及ぼすことがある。特に、第２タブ４の下部背面の前方部に特に熱が伝達されることができる。
【０１６３】
したがって、板状部材５００は乾燥ダクト９１と上下に重畳するように構成されることが好ましい。特に、第２タブ４の下部背面の前方部に板状部材５００が位置することがもっと好ましい。
【０１６４】
言い換えれば、板状部材５００は第２タブ４の下部背面の全面にわたって備えられず、前方部の面積がもっと大きく形成されることがもっと好ましい。したがって、板状部材５００が乾燥ダクト９１と第２タブ４の間を隔離させる機能をすることができる。これによって、熱が相互間に伝達されることを最小化することができる。
【０１６５】
一方、板状部材５００は少なくとも一部が第２固定子６７１及び第２回転子６７３を取り囲むように形成されることができる。よって、第２回転子６７３の内部で上昇する熱気が板状部材５００を介して放射方向にかつ下方にガイドされて排出されることができる。
【０１６６】
このために、板状部材５００には傾斜部５０１が形成されることができる。傾斜部５０１は中心から半径方向に行くほど下側に傾くように形成されることができる。よって、このような傾斜部に沿って熱気が放射方向にかつ下方にガイドされて排出されることができる。
【０１６７】
したがって、第２回転子６７３の内部の熱気が容易に排出されるので、第２回転子の外部の冷気がより円滑に第２回転子の内部に流入して第２固定子を放熱させることができる。すなわち、板状部材５００は遮熱の機能だけではなく空気の流動をガイドする空気ガイドの機能をすることができる。
【０１６８】
一方、第２タブ４には下方に陷沒した空間又はリセス４ｂが形成される。リセス４ｂは第２ポンプ４１７と連結されることができる。すなわち、リセス４ｂは第２タブ４の内部で洗濯水を収容する最下部空間と言える。
【０１６９】
リセス４ｂは洗濯水を加熱するように構成されることができる。一例として、リセス４ｂの内部には洗濯水を加熱するヒーターが装着されることができる。したがって、リセス４ｂはヒーター装着空間とも言える。また、リセス４ｂの一部がヒーターであってもよい。
【０１７０】
リセス４ｂは第２タブ４の下部背面からもっと下方に陷沒するように形成されるので、この部分は第２タブ４の最下部位置であると言える。このような部分に第２駆動部が装着されれば、第２タブ４の全高が増加することができる。よって、リセス４ｂと第２駆動部が装着される空間は互いに区分されることが好ましい。
【０１７１】
具体的に、第２タブ４の中心には上方に突出するリセス４ａが形成され、リセス４ａの半径方向の外側にリセス４ｂが形成されることが好ましい。後者のリセス４ｂを第２タブ４の第１リセスと言え、前者のリセス４ａを第２タブ４の第２リセスと言える。
【０１７２】
したがって、第２回転子６７３の最下部より第１リセス４ｂの最下部がもっと低く位置してもよい。すなわち、第１リセス４ｂは第２リセス４ａによって第２回転子６７３の少なくとも一部を取り囲むように構成されることができる。
【０１７３】
一方、第１リセス４ｂの下部に対応する第２タブ４の下部背面には板状部材５００が排除されることが好ましい。すなわち、第１リセス４ｂの下部に対応する第２タブ４の背面を板状部材５００が覆わないようにすることができる。
【０１７４】
ここで、第１リセス４ｂは第２タブ４の後方に位置することが好ましい。なぜならば、空間４ｂを通じて洗濯水が排出され、よって排水配管の長さを著しく減らすことができるからである。すなわち、第１洗濯部と第２洗濯部の間の空間にこのような排水配管が備えられることを効果的に防止することができる。
【０１７５】
したがって、板状部材５００は第２タブ４の下部背面の全面にわたって形成されなくなる。すなわち、第２タブ４の下部背面の前方部には大面積の板状部材５００が備えられ、後方部にはこのような板状部材５００が排除されることができる。このために、板状部材５００は、第２タブ４の中心からリセス又は空間４ｂの反対方向である第２タブ４の前方に拡張される拡張部５０３を含むことができる。
【０１７６】
そして、板状部材５００は第２回転軸６７５を取り囲む中心部５０２を含むことができる。中心部５０２は第２タブ４と堅く結合するために平面形状に形成されることができる。
【０１７７】
中心部５０２の半径方向に伸びる傾斜部５０１が形成されることができる。このような傾斜部５０１は第２回転子６７３の半径方向の外側で第２回転子６７３を取り囲む形状に形成されることができる。傾斜部５０１から半径方向の外側方向に伸びる拡張部５０３が形成されることができる。
【０１７８】
前述したように、第２タブ４の下部背面の前方部では乾燥ダクトで発生する熱が第２タブに供給されることができる。反対に、第２駆動部で発生する熱が乾燥ダクトに供給されることができる。よって、板状部材によってこのような熱伝達を遮断することができる。
【０１７９】
その上、第２固定子で発生する熱を板状部材を介して放射方向に排出するので、熱気が直接乾燥ダクトを加熱することを最小化することができる。
【０１８０】
板状部材５００は金属素材で形成されることが好ましい。そして、板状部材５００はプレート形状に形成されることができる。また、第２タブ４の背面に密着して第２タブ４の剛性を効果的に補強することができる。そして、板状部材５００は第２タブ４の背面、特に下部の背面と対応するように形成されることができる。このために、段差部が形成されることができる。よって、板状部材５００は第２タブ４の背面にもっと密着して装着されることができる。
【０１８１】
一方、第２駆動部６７の装着のために、第２タブ４の中心で上方に陷沒したリセス４ａとリセス４ａの半径方向の外側で下方に陷沒したリセス４ｂによって第２タブ４の全高が決定されることができる。
【０１８２】
リセス４ａに挿入されるように第２駆動部６７が装着され、リセス４ｂは第２駆動部６７より下方に陷沒するように形成される。よって、第２回転子６７３は第２タブ４の最下位置よりは上側に位置することになる。したがって、第２回転子６７３の駆動によって周辺構成物が干渉することを効果的に防止することができる。
【０１８３】
また、板状部材５００によって第２回転子６７３を取り囲むことになる。もちろん、板状部材５００と一緒にリセス４ｂも第２回転子６７３を取り囲むことになる。よって、第２回転子と板状部材及びリセス４ｂの間に間隔が形成されれば、このような間隔を通じて第２回転子６７３の内部の熱が放射方向にかつ下方に排出されることができる。
【０１８４】
以上では図１〜図４に基づいて板状部材５００と第２固定子６７１が結合されない実施例を説明した。
【０１８５】
以下では図５に基づいて板状部材５００と第２固定子６７１が結合される実施例を説明する。
【０１８６】
前述したように、板状部材５００は第２タブ４の下部背面に装着されるかあるいは一体に構成される。そして、板状部材５００は金属素材で形成されるので、剛性がプラスチックより高い。したがって、第２固定子６７１がプラスチック素材の第２タブ４に直接装着されるよりは板状部材５００に装着されることが良い。
【０１８７】
このために、板状部材５００の中心部５０２は半径方向の中心方向にもっと伸びることができ、中心部５０２に第２固定子６７１が締結されるための締結部が形成されることができる。
【０１８８】
まず、第２固定子６７１を介して伝達される熱はプレート形状の板状部材５００によって外部に放射されることができる。よって、効果的な第２固定子６７１の締結及び放熱効果の改善が可能になる。
【０１８９】
さらに、第２駆動部６７がより堅固に第２タブ４の下部背面に装着されることができる。
【０１９０】
一方、前述した実施例において、二つの洗濯部は互いに個別的で独立的なものではなくてもよい。いずれか一洗濯部が故障する場合、他の洗濯部を使うことはできるであろう。しかし、これら洗濯部が互いに不可分の関係であれば、使用者は単一製品として認識することができる。よって、前述した実施例によって、二つの洗濯部が互いに干渉することを排除し、特に不必要な熱を互いに供給することを効果的に遮断することができる。したがって、全体として信頼性が向上し、耐久性も向上した洗濯装置を提供することが可能となる。
【０１９１】
本発明は多様な形態に変形実施されることができるもので、上述した実施例にその権利範囲が限定されない。したがって、変形実施例が本発明特許請求範囲の構成要素を含んでいれば、本発明の権利範囲に属するものとして見なさなければならないであろう。
【図１】
2018108333.tif 000003
【図２】
2018108333.tif 000004
【図３】
2018108333.tif 000005
【図４】
2018108333.tif 000006
【図５】
2018108333.tif 000007